(57)【要約】【課題】ＳＤＲ端末のシームレスバーチカルハンドオーバー方法およびＳＣＡ基盤のＳＤＲ端末を提供する。【解決手段】本発明のシームレスバーチカルハンドオーバー方法は、バーチカルハンドオーバーの要請前に、周辺のアクセスネットワーク情報を収集し、周辺のアクセスネットワークと関連したウエーブフォームアプリケーションのダウンロードの必要の有無を判断するステップと、ダウンロードが必要であると判断される場合に、ウエーブフォームアプリケーションをダウンロードして格納するステップと、バーチカルハンドオーバーの要請の場合に、既に格納されている前記ウエーブフォームアプリケーションを用いてシームレスバーチカルハンドオーバーを行うステップとを備える。従って、効率的にＳＤＲ端末のシームレス・バーチカル・ハンドオーバーを行うことができる。【選択図】図２
2010136379.tif 000002
【特許請求の範囲】
【請求項１】
バーチカルハンドオーバー（ｖｅｒｔｉｃａｌ  ｈａｎｄｏｖｅｒ）の要請前に、周辺のアクセスネットワーク（ａｃｃｅｓｓ  ｎｅｔｗｏｒｋ）情報を収集し、前記周辺のアクセスネットワークと関連したウエーブフォームアプリケーション（ｗａｖｅｆｏｒｍ  ａｐｐｌｉｃａｔｉｏｎ）のダウンロードの必要の有無を判断するステップと、
前記ダウンロードが必要であると判断される場合に、前記ウエーブフォームアプリケーションをダウンロードして格納するステップと、
バーチカルハンドオーバーの要請の場合に、既に格納されている前記ウエーブフォームアプリケーションを用いてシームレス・バーチカル・ハンドオーバー（ｓｅａｍｌｅｓｓ  ｖｅｒｔｉｃａｌ  ｈａｎｄｏｖｅｒ）を行うステップと
を備えたことを特徴とするＳＤＲ端末のシームレス・バーチカル・ハンドオーバー方法。
【請求項２】
前記周辺のアクセスネットワーク情報は、ＭＩＩＳを用いて収集され、前記バーチカルハンドオーバーの要請は、ＭＩＥＳまたはＭＩＣＳを用いて識別されることを特徴とする請求項１に記載のＳＤＲ端末のシームレス・バーチカル・ハンドオーバー方法。
【請求項３】
前記ＭＩＩＳは、ウエーブフォームアプリケーション格納サーバの接続情報を示す情報要素（Ｉｎｆｏｒｍａｔｉｏｎ  ｅｌｅｍｅｎｔ）を提供し、
前記ウエーブフォームアプリケーションをダウンロードして格納するステップは、前記情報要素を用いてウエーブフォームアプリケーション格納サーバに接続し、前記ウエーブフォームアプリケーションをダウンロードするステップを含むことを特徴とする請求項２に記載のＳＤＲ端末のシームレス・バーチカル・ハンドオーバー方法。
【請求項４】
前記ウエーブフォームアプリケーション格納サーバの接続情報は、ＩＰアドレス（ＩＰ  Ａｄｄｒｅｓｓ）であることを特徴とする請求項３に記載のＳＤＲ端末のシームレス・バーチカル・ハンドオーバー方法。
【請求項５】
前記周辺のアクセスネットワークと関連したウエーブフォームアプリケーションは、前記ＭＩＩＳにより提供されたネットワークタイプの情報要素に相応するアクセスネットワークに使用可能なウエーブフォームアプリケーションであることを特徴とする請求項２に記載のＳＤＲ端末のシームレス・バーチカル・ハンドオーバー方法。
【請求項６】
前記バーチカルハンドオーバーを行うステップは、前記ＭＩＩＳまたはＭＩＣＳにより提供されるイベントまたは命令語によって、既に格納されている前記ウエーブフォームアプリケーションをインストールし、既存のウエーブフォームアプリケーションをアンインストールするステップを含むことを特徴とする請求項２に記載のＳＤＲ端末のシームレス・バーチカル・ハンドオーバー方法。
【請求項７】
ＭＩＩＳ、ＭＩＥＳおよびＭＩＣＳの機能を提供するためのＭＩＨリソースと、
バーチカルハンドオーバーの要請前に、必要なウエーブフォームアプリケーションをダウンロードして格納するようにし、前記バーチカルハンドオーバーの要請の場合に、既に格納されている前記ウエーブフォームアプリケーションをインストールするようにするウエーブフォームアプリケーションマネジャーと、
前記ＭＩＩＳ、ＭＩＥＳおよびＭＩＣＳによって、前記ウエーブフォームアプリケーションマネジャーを制御するＭＩＨマネジャーと
を備えたことを特徴とするＳＣＡ基盤のＳＤＲ端末。
【請求項８】
前記ＳＣＡ基盤のＳＤＲ端末は、ダウンロードされた前記ウエーブフォームアプリケーションを格納するウエーブフォームアプリケーション格納所をさらに備えたことを特徴とする請求項７に記載のＳＣＡ基盤のＳＤＲ端末。
【請求項９】
前記ＭＩＩＳは、ウエーブフォームアプリケーション格納サーバの接続情報を示す情報要素を提供し、
前記ウエーブフォームアプリケーションマネジャーは、前記情報要素を用いてウエーブフォームアプリケーション格納サーバに接続し、前記ウエーブフォームアプリケーションをダウンロードするようにすることを特徴とする請求項７に記載のＳＣＡ基盤のＳＤＲ端末。
【請求項１０】
前記情報要素は、前記アプリケーション格納サーバのＩＰアドレスを含むことを特徴とする請求項９に記載のＳＣＡ基盤のＳＤＲ端末。
【請求項１１】
前記ＭＩＨマネジャーは、
前記ＭＩＥＳまたはＭＩＣＳにより提供されるイベントまたは命令語によって、前記バーチカルハンドオーバーの要請を識別し、前記バーチカルハンドオーバーの要請の場合に、既に格納されている前記ウエーブフォームアプリケーションがインストールされるように、前記ウエーブフォームアプリケーションマネジャーを制御することを特徴とする請求項７に記載のＳＣＡ基盤のＳＤＲ端末。
【請求項１２】
前記ＭＩＨマネジャーは、前記ＭＩＥＳまたはＭＩＣＳにより提供されるリンクイベントまたは命令語によって、バーチカルハンドオーバーの完了の有無を識別し、前記バーチカルハンドオーバーが完了したと判断されると、既存のウエーブフォームアプリケーションをアンインストールするように、前記ウエーブフォームアプリケーションマネジャーを制御することを特徴とする請求項７に記載のＳＣＡ基盤のＳＤＲ端末。
【請求項１３】
前記ウエーブフォームアプリケーションマネジャーは、前記ＭＩＩＳにより提供されたネットワークタイプの情報要素に相応するアクセスネットワークに使用可能なウエーブフォームアプリケーションのうちのいずれか一つを前記必要なウエーブフォームアプリケーションに設定することを特徴とする請求項７に記載のＳＣＡ基盤のＳＤＲ端末。
【発明の詳細な説明】
【技術分野】
【０００１】
本発明は、ＳＣＡ（Ｓｏｆｔｗａｒｅ  Ｃｏｍｍｕｎｉｃａｔｉｏｎｓ  Ａｒｃｈｉｔｅｃｔｕｒｅ）基盤のＳＤＲ（Ｓｏｆｔｗａｒｅ  Ｄｅｆｉｎｅｄ  Ｒａｄｉｏ）端末に関し、より詳細には、ＳＤＲ端末のバーチカルハンドオーバー（ｖｅｒｔｉｃａｌ  ｈａｎｄｏｖｅｒ）技術に関する。
【背景技術】
【０００２】
ＳＤＲは、多様な無線通信サービスを一つの無線機器においてソフトウェアの操作のみにより利用できるようにする技術である。ＳＤＲ端末は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようにハードウェア基盤により構成された端末とは異なり、通信と関連した機能を実現する部分の全部または一部がソフトウェアにより実現される。ＳＤＲ端末は、通信サービスを提供するために、ウエーブフォームアプリケーション（ｗａｖｅｆｏｒｍ  ａｐｐｌｉｃａｔｉｏｎ）を実行しなければならない。通常、ウエーブフォームアプリケーションは、先にロードされた後に実行されるので、ＳＤＲ端末は、ＡＳＩＣなどのハードウェア基盤の端末よりもサービス待ち時間が長い。そのため、サービスの変更時、迅速なサービスの提供が困難な場合がある。
【０００３】
ＳＤＲ端末において、バーチカルハンドオーバーとは、現在使用しているウエーブフォームアプリケーションから他のウエーブフォームアプリケーションに切り換えることを意味する。従って、バーチカルハンドオーバーのためにＳＤＲ端末は、ウエーブフォームアプリケーションを変更しなければならないので、既存のウエーブフォームアプリケーションをアンインストールし、新たなウエーブフォームアプリケーションをインストールしなければならない。しかしながら、この過程で相当な時間がかかるため、ＳＤＲ端末においてシームレス・バーチカル・ハンドオーバーは容易でない課題である。
【０００４】
ＳＣＡは、通信システム間の相互連動性を大幅に改善し、開発および配置費用を低減するために提案された標準化された通信ソフトウェア構造である。ＳＣＡは、リアルタイムの運営体系と分散オブジェクト・モデルの産業標準であるＣＯＢＲＡ（Ｃｏｍｍｏｎ  Ｏｂｊｅｃｔ  Ｒｅｑｕｅｓｔ  Ａｒｃｈｉｔｅｃｔｕｒｅ）をミドルウェアとして採択し、異種のハードウェアとソフトウェアの統合環境を提供している。ＳＤＲシステムは、ソフトウェアのフレームワークの標準としてＳＣＡを採択している。
【０００５】
図１は、従来技術に係るＳＣＡ基盤のＳＤＲ端末のブロック図である。図１を参照すれば、ＳＤＲ端末１００は、ドメインマネジャー１１０、デバイスマネジャー１２０、ファイルマネジャー１３０、アプリケーションファクトリー（ａｐｐｌｉｃａｔｉｏｎ  ｆａｃｔｏｒｙ）１４０、各種のデバイス１５０、ファイルシステム１６０およびウエーブフォームアプリケーション１７０を含む。
【０００６】
ドメインマネジャー１１０は、ＳＤＲ端末１００の動作を総括する。デバイスマネジャー１２０は、各種のデバイス１５０を制御する。各種のデバイス１５０は、図１に示すように、ＤＳＰデバイス、ＦＰＧＡデバイス、ＧＰＰデバイスなどを含めることができる。
【０００７】
ファイルマネジャー１３０は、ＳＤＲ端末１００内のファイルシステム１６０を管理する。アプリケーションファクトリー１４０は、ＳＤＲ端末１００のウエーブフォームアプリケーション１７０を制御する。すなわち、アプリケーションファクトリー１４０は、ウエーブフォームアプリケーション１７０のインストールおよびアンインストールを可能にする。
【０００８】
ウエーブフォームアプリケーション１７０は、ＳＤＲ端末１００の通信サービスを提供するために実行される。バーチカルハンドオーバーが起きる場合、ウエーブフォームアプリケーション１７０も新たなウエーブフォームアプリケーションに更新されなければならない。
【０００９】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．２１グループにおいて標準化が進行中であるＭＩＨ（Ｍｅｄｉａ  Ｉｎｄｅｐｅｎｄｅｎｔ  Ｈａｎｄｏｖｅｒ）は、ＩＥＥＥ８０２．１１規格の無線ＬＡＮ、ＩＥＥＥ８０２．１６規格のワイブロ、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ−２０００（Ｃｏｄｅ  Ｄｉｖｉｓｉｏｎ  Ｍｕｌｔｉｐｌｅ  Ａｃｃｅｓｓ  ２０００）などのような多重無線インターフェースを有する端末が、互いに異なるメディア間において自由に音声、データ、マルチメディアなどのような多様な応用サービスのサポートを受けることができるように、端末にシームレスハンドオーバー（Ｓｅａｍｌｅｓｓ  Ｈａｎｄｏｖｅｒ）を提供する技術である。ＭＩＨは、端末と基地局との間で、イベントサービス、命令サービス、情報サービスを通じてハンドオーバーのための情報交換がなされることにより実現される。
【００１０】
結局、ＳＤＲ端末においてウエーブフォームアプリケーションを速かに変更して、シームレス・バーチカル・ハンドオーバーを可能にし、ＩＥＥＥ８０２．２１規格との互換性を確保できる新たなＳＤＲ端末のシームレス・バーチカル・ハンドオーバー技法の必要性が切実となっている。
【先行技術文献】
【特許文献】
【００１１】
【特許文献１】特表2008-511267号公報
【発明の概要】
【発明が解決しようとする課題】
【００１２】
本発明は、前述したような従来技術の問題点を解決するために案出されたものであって、ＳＤＲ端末のバーチカルハンドオーバーの際、ウエーブフォームアプリケーションの再構成に要される時間を低減し、シームレス・バーチカル・ハンドオーバーを可能にすることを目的とする。
【００１３】
また、本発明は、ＩＥＥＥ８０２．２１規格との互換が可能であって、さらに優れた拡張性を有するＳＤＲ端末のシームレス・バーチカル・ハンドオーバー方法を提供することを目的とする。
【００１４】
また、本発明は、バーチカルハンドオーバーの際、新たなアプリケーションのインストールおよび既存のアプリケーションのアンインストールを迅速に実行し、マルチモードの動作時間を最小化することにより、シームレス・バーチカル・ハンドオーバーを可能にするとともに、電力消耗を低減することを目的とする。
【課題を解決するための手段】
【００１５】
本発明の一実施形態に係るＳＤＲ端末のシームレス・バーチカル・ハンドオーバー方法は、バーチカルハンドオーバーの要請前に、周辺のアクセスネットワーク情報を収集し、周辺のアクセスネットワークと関連したウエーブフォームアプリケーションのダウンロードの必要の有無を判断するステップと、ダウンロードが必要であると判断される場合に、ウエーブフォームアプリケーションをダウンロードして格納するステップと、バーチカルハンドオーバーの要請時に、既に格納されているウエーブフォームアプリケーションを用いてシームレス・バーチカル・ハンドオーバーを行うステップとを備える。
【００１６】
周辺のアクセスネットワーク情報は、ＭＩＩＳ（Ｍｅｄｉａ  Ｉｎｄｅｐｅｎｄｅｎｔ  Ｉｎｆｏｒｍａｔｉｏｎ  Ｓｅｒｖｉｃｅ）を利用して収集され、バーチカルハンドオーバーの要請を、ＭＩＥＳ（Ｍｅｄｉａ  Ｉｎｄｅｐｅｎｄｅｎｔ  Ｅｖｅｎｔ  Ｓｅｒｖｉｃｅ）またはＭＩＣＳ（Ｍｅｄｉａ  Ｉｎｄｅｐｅｎｄｅｎｔ  Ｃｏｍｍａｎｄ  Ｓｅｒｖｉｃｅ）を利用して識別することができる。
【００１７】
ＭＩＩＳは、ウエーブフォームアプリケーション格納サーバの接続情報を示す情報要素を提供し、ウエーブフォームアプリケーションをダウンロードして格納するステップは、情報要素を用いてウエーブフォームアプリケーション格納サーバに接続し、ウエーブフォームアプリケーションをダウンロードすることができる。
【００１８】
周辺のアクセスネットワークと関連したウエーブフォームアプリケーションは、ＭＩＩＳにより提供されたネットワークタイプ情報エレメントに相応するアクセスネットワークに使用可能なウエーブフォームアプリケーションであってもよい。
【００１９】
また、本発明の一実施形態に係るＳＣＡ基盤のＳＤＲ端末は、ＭＩＩＳ、ＭＩＣＳおよびＭＩＥＳの機能を提供するためのＭＩＨリソースと、バーチカルハンドオーバーの要請前に必要なウエーブフォームアプリケーションをダウンロードして格納するようにし、バーチカルハンドオーバーの要請時、既に格納されているウエーブフォームアプリケーションをインストールするようにするウエーブフォームアプリケーションマネジャーと、ＭＩＩＳおよびＭＩＥＳに基づき、ウエーブフォームアプリケーションマネジャーを制御するＭＩＨマネジャーとを備える。
【００２０】
ＭＩＩＳは、ウエーブフォームアプリケーション格納サーバの接続情報を示す情報要素を提供し、ウエーブフォームアプリケーションマネジャーは、情報要素を用いてウエーブフォームアプリケーション格納サーバに接続し、ウエーブフォームアプリケーションをダウンロードするようにできる。
【００２１】
ＭＩＨマネジャーは、ＭＩＥＳまたはＭＩＣＳにより提供されるイベントまたは命令語に基づき、バーチカルハンドオーバーの要請を識別し、バーチカルハンドオーバーの要請時、既に格納されているウエーブフォームアプリケーションがインストールされるように、ウエーブフォームアプリケーションマネジャーを制御することができる。
【００２２】
ＭＩＨマネジャーは、ＭＩＥＳまたはＭＩＣＳにより提供されるリンクイベントまたは命令語に基づき、バーチカルハンドオーバーの完了の有無を識別し、バーチカルハンドオーバーが完了したと判断されると、既存のウエーブフォームアプリケーションをアンインストールするように、ウエーブフォームアプリケーションマネジャーを制御することができる。
【発明の効果】
【００２３】
本発明により次のような効果が得られる。
【００２４】
本発明によれば、ＳＤＲ端末のバーチカルハンドオーバーの際、ウエーブフォームアプリケーションの再構成に要される時間を低減し、シームレス・バーチカル・ハンドオーバーが可能である。
【００２５】
また、本発明は、ＩＥＥＥ８０２．２１規格との互換が可能であって、さらに優れた拡張性を有するＳＤＲ端末のシームレス・バーチカル・ハンドオーバー方法を提供することができる。
【００２６】
また、本発明は、バーチカルハンドオーバーの際、新たなアプリケーションのインストールおよび既存のアプリケーションのアンインストールを迅速に実行し、マルチモードの動作時間を最小化することにより、シームレス・バーチカル・ハンドオーバーを可能にするとともに、電力消耗を低減することができる。
【図面の簡単な説明】
【００２７】
【図１】従来技術に係るＳＣＡ基盤のＳＤＲ端末のブロック図である。
【図２】本発明の一実施形態に係るＳＣＡ基盤のＳＤＲ端末のブロック図である。
【図３】本発明の一実施形態に係る図２に示されたＳＣＡ基盤のＳＤＲ端末のウエーブフォームアプリケーションのダウンロード動作を示すブロック図である。
【図４】本発明の一実施形態に係る情報要素の一例を示す図である。
【図５】本発明の一実施形態に係るＳＣＡ基盤のＳＤＲ端末のマルチモードの動作を示すブロック図である。
【図６】本発明の一実施形態に係るＳＤＲ端末のシームレス・バーチカル・ハンドオーバー方法を示す動作のフローチャートである。
【図７】本発明の一実施形態に係る図６に示されたバーチカル・ハンドオーバー・ステップの一例を示す動作のフローチャートである。
【発明を実施するための形態】
【００２８】
添付された図面を参照して本発明について詳細に説明すれば、次の通りである。ここで、繰り返される説明、本発明の要旨を不要にぼやかし得る公知機能、および構成に関する詳細な説明は省略する。本発明の実施形態は、当業界で平均的な知識を有する者に本発明をより完全に説明するために提供されるものである。従って、図面における要素の形状および大きさなどを、さらに明確な説明のために誇張することができる。
【００２９】
以下、本発明に係る望ましい実施形態を添付された図面を参照して詳細に説明する。
【００３０】
図２は、本発明の一実施形態に係るＳＣＡ基盤のＳＤＲ端末のブロック図である。図２を参照すれば、本発明の一実施形態に係るＳＣＡ基盤のＳＤＲ端末は、ドメインマネジャー２１０、ＭＩＨマネジャー２２０、ファイルマネジャー２３０、アプリケーションファクトリー２４０、ウエーブフォームアプリケーションマネジャー２５０、ファイルシステム２６０、ウエーブフォームアプリケーション２７０およびウエーブフォームアプリケーション格納所２８０を含む。
【００３１】
ドメインマネジャー２１０は、ＳＣＡ基盤のＳＤＲ端末２００の動作を総括する。図２には示していないが、ドメインマネジャー２１０は、ウエーブフォームアプリケーションマネジャー２５０およびアプリケーションファクトリー２４０などと信号を送受信することもできる。
【００３２】
特に、ドメインマネジャー２１０は、ウエーブフォームアプリケーションマネジャー２５０から新たなウエーブフォームアプリケーションのインストールの要請がある場合に、新たなウエーブフォームアプリケーションの生成のための新たなアプリケーションファクトリーが生成されるようにすることが可能である。
【００３３】
また、ドメインマネジャー２１０は、ウエーブフォームアプリケーションマネジャー２５０からウエーブフォームアプリケーションのアンインストールの要請がある場合に、アプリケーションファクトリー２４０に伝達することができる。
【００３４】
ＭＩＨマネジャー２２０は、ＭＩＨの構造上、ＭＩＨユーザーにあてはまり、ＭＩＨ機能のＭＩＩＳを通じてアクセスネットワーク情報の伝達を受ければ、ウエーブフォームアプリケーションマネジャー２５０に伝達し、ウエーブフォームアプリケーションマネジャー２５０が、ネットワークを用いるためのウエーブフォームアプリケーションがＳＤＲ端末２００内のウエーブフォームアプリケーション格納所２８０に格納されているかを検索するようにし、もしネットワークを用いるためのウエーブフォームアプリケーションが、ウエーブフォームアプリケーション格納所２８０に格納されていなければ、ＭＩＩＳの情報要素により定義されたウエーブフォームアプリケーション格納サーバにアクセスし、新たなウエーブフォームアプリケーションファイルをダウンロードしてウエーブフォームアプリケーション格納所２８０に格納するようにする。
【００３５】
また、ＭＩＨマネジャー２２０は、ＭＩＥＳの伝達を受ければ、新たにインストールすべきウエーブフォームアプリケーションを選択し、新たなウエーブフォームアプリケーションのインストールに関する命令を、ウエーブフォームアプリケーションマネジャー２５０に伝達することができる。
【００３６】
ＭＩＨマネジャー２２０は、特定のＭＩＨリンクイベントまたはＭＩＨ命令語が伝達されると、ハンドオーバーが完了したと判断し、ウエーブフォームアプリケーションマネジャー２５０に既存のウエーブフォームアプリケーションをアンインストールすることを要請することができる。
【００３７】
ファイルマネジャー２３０は、ＳＣＡ基盤のＳＤＲ端末２００内のファイルシステム２６０を管理する。
【００３８】
ファイルシステム２６０は、ウエーブフォームアプリケーション格納所２８０に格納されるウエーブフォームアプリケーションファイルを管理する。
【００３９】
特に、ファイルマネジャー２３０は、新たなアプリケーションの生成が必要な場合、ウエーブフォームアプリケーション格納所２８０内のウエーブフォームアプリケーションファイルがアプリケーションファクトリー２４０などに提供されるようにすることができる。
【００４０】
アプリケーションファクトリー２４０は、ＳＣＡ基盤のＳＤＲ端末２００のウエーブフォームアプリケーション２７０を制御する。すなわち、アプリケーションファクトリー２４０は、ウエーブフォームアプリケーション２７０のインストールおよびアンインストールを可能にすることができる。
【００４１】
ウエーブフォームアプリケーションマネジャー２５０は、ＭＩＨマネジャー２２０を通じてＭＩＩＳの特定の情報要素またはこれを用いて生成された信号が伝達されると、伝達された信号を分析し、周辺のアクセスネットワークで使用可能なウエーブフォームアプリケーションがウエーブフォームアプリケーション格納所２８０に格納されているかを確認する。
【００４２】
ウエーブフォームアプリケーションマネジャー２５０は、必要なウエーブフォームアプリケーションが格納されていなければ、ＭＩＩＳのウエーブフォームアプリケーション格納サーバの接続情報を示す情報要素に記述されているウエーブフォームアプリケーション格納サーバから、必要なウエーブフォームアプリケーションの伝達を受け、ウエーブフォームアプリケーション格納所２８０に格納するようにすることができる。
【００４３】
また、ウエーブフォームアプリケーションマネジャー２５０は、ＭＩＥＳまたはＭＩＣＳによりバーチカルハンドオーバーの要請が識別される場合に、ウエーブフォームアプリケーション格納所２８０にウエーブフォームアプリケーションがあるかを確認した後、ドメインマネジャー２１０に新たなウエーブフォームアプリケーションのインストールを要請することができる。
【００４４】
また、ウエーブフォームアプリケーションマネジャー２５０は、ＭＩＨマネジャー２２０からウエーブフォームアプリケーションのアンインストールが要請される場合に、ドメインマネジャー２１０に伝達することができる。
【００４５】
ウエーブフォームアプリケーション２７０は、ＳＣＡ基盤のＳＤＲ端末２００の通信サービスを提供するために実行される。バーチカルハンドオーバーが行われる場合に、ウエーブフォームアプリケーション２７０も新たなウエーブフォームアプリケーションに更新されなければならない。
【００４６】
特に、ウエーブフォームアプリケーション２７０は、ＭＩＨリソース２７１を含む。ＭＩＨリソース２７１は、ＭＩＨ機能にあてはまる。
【００４７】
ＭＩＨリソース２７１は、ＭＩＩＳおよびＭＩＥＳ機能を提供し、ＭＩＩＳやＭＩＥＳを受信すると、ＭＩＨマネジャー２２０に伝達する。
【００４８】
ＭＩＨリソース２７１は、ＩＥＥＥ８０２．２１を通じて規定されたＭＩＨ＿Ｌｉｎｋ＿Ｄｅｔｅｃｔｅｄ、ＭＩＨ＿Ｌｉｎｋ＿ＵＰ、ＭＩＨ＿Ｌｉｎｋ＿ＤｏｗｎまたはＭＩＨ＿Ｌｉｎｋ＿Ｈａｎｄｏｖｅｒ＿Ｃｏｍｐｌｅｔｅなどのようなハンドオーバーと関連したＭＩＨイベントまたはＭＩＨ＿Ｎ２Ｎ＿ＨＯ＿Ｃｏｍｍｉｔ、ＭＩＨ＿ＭＮ＿ＨＯ＿Ｃｏｍｍｉｔ、ＭＩＨ＿Ｎｅｔ＿ＨＯ＿Ｃｏｍｐｌｅｔｅ、ＭＩＨ＿Ｎ２Ｎ＿ＨＯ＿ＣｏｍｐｌｅｔｅなどのようなＭＩＨ  Ｃｏｍｍａｎｄを受信し、ＭＩＨマネジャー２２０に伝達することができる。ＭＩＨ＿ＵｓｅｒがＭＩＩＳ情報を受信する過程は、ＩＥＥＥ８０２．２１の技術標準に定義された方法に従う。ＭＩＨ＿ＵｓｅｒがＭＩＨイベントを受信するための過程は、ＩＥＥＥ８０２．２１の技術標準に定義された方法に従う。
【００４９】
ＭＩＨユーザー、ＭＩＨ機能、ＭＩＩＳ、ＭＩＥＳおよびＭＩＣＳなどに対しては、ＩＥＥＥ８０２．２１の技術標準検討グループのウェブサイト（ｈｔｔｐ：／／ｗｗｗ．ｉｅｅｅ８０２．ｏｒｇ／２１／）の提出ツリー（ｓｕｂｍｉｓｓｉｏｎ  ｔｒｅｅ）ページなどのウェブ文書に詳細に説明されている。
【００５０】
図３は、本発明の一実施形態に係る図２に示されたＳＣＡ基盤のＳＤＲ端末のウエーブフォームアプリケーションのダウンロード動作を示すブロック図である。図３を参照すれば、ＳＣＡ基盤のＳＤＲ端末３００は、ＭＩＩＳを通じて、周辺のアクセスネットワーク情報の提供を受ける（Ｓ１）。ＭＩＩＳを、遠隔地のＭＩＨ機能を有するサーバ３０３からアクセスネットワーク３０１を通じて提供することができる。
【００５１】
ＭＩＨリソース３７１は、提供されたＭＩＩＳをＭＩＨマネジャー３２０に伝達する（Ｓ２）。
【００５２】
ＭＩＨマネジャー３２０は、ＭＩＩＳによりネットワークタイプを示す情報要素をウエーブフォームアプリケーションマネジャー３５０に伝達する（Ｓ３）。ネットワークタイプを示す情報要素は、ＩＥＥＥ８０２．２１で規定するＩＥ＿ＮＥＴＷＯＲＫ＿ＴＹＰＥ、ＩＥ＿ＳＥＲＶＩＣＥ＿ＰＲＯＶＩＤＥＲ＿ＩＤなどのウエーブフォームアプリケーションを唯一区別できる情報要素である。
【００５３】
ウエーブフォームアプリケーションマネジャー３５０は、ウエーブフォームアプリケーション格納所３８０を検索し、ネットワークタイプを示す情報要素に相応するアクセスネットワークに使用可能なウエーブフォームアプリケーションが格納されているかを確認する。ウエーブフォームアプリケーション格納所３８０は、ファイルマネジャー３３０を通じてウエーブフォームアプリケーション格納所３８０を検索することができる。
【００５４】
必要なウエーブフォームアプリケーションが格納されていない場合、ＭＩＩＳを通じて提供されたウエーブフォームアプリケーション格納サーバの接続情報を示す情報要素を用いてウエーブフォームアプリケーション格納サーバ３０２の接続情報を獲得することができる。接続情報は、ＩＰアドレスであり得る。
【００５５】
ウエーブフォームアプリケーション格納サーバ３０２からダウンロードされたウエーブフォームアプリケーションは、ウエーブフォームアプリケーション格納所３８０に格納される。ダウンロードされたウエーブフォームアプリケーションは、アプリケーションファクトリー３４０、ウエーブフォームアプリケーションマネジャー３５０、ファイルマネジャー３３０およびファイルシステム３６０のうちのいずれか一つ以上を通じてウエーブフォームアプリケーション格納所３８０に格納されることもできる（Ｓ４、Ｓ５、Ｓ６）。
【００５６】
図４は、本発明の一実施形態に係る情報要素の一例を示す図である。図４を参照すれば、本発明の一実施形態に係るウエーブフォームアプリケーション格納サーバの接続情報を示す情報要素がＭＩＩＳに追加される。
【００５７】
情報要素は、情報要素の名前を示す第１フィールド４１０、情報要素に関する説明を示す第２フィールド４２０およびウエーブフォームアプリケーション格納サーバのＩＰアドレスなどの接続情報を示す第３フィールド４３０を含むことができる。
【００５８】
図５は、本発明の一実施形態に係るＳＣＡ基盤のＳＤＲ端末のマルチモードの動作を示すブロック図である。マルチモードは、ＳＤＲ端末が２以上のウエーブフォームアプリケーションを同時に有している動作モードを意味することができる。
【００５９】
図５を参照すれば、ＳＣＡ基盤のＳＤＲ端末５００は、ＭＩＥＳまたはＭＩＣＳを通じて、バーチカルハンドオーバーの要請を受信する（Ｓ１）。
【００６０】
ＭＩＥＳは、遠隔地のＭＩＨ機能を有するサーバ５０３からアクセスネットワーク５０１を通じて提供され得る。
【００６１】
ＭＩＨリソース５７２は、受信されたバーチカルハンドオーバーの要請に相応するイベントをＭＩＨマネジャー５２０に伝達する（Ｓ２）。
【００６２】
ＭＩＨマネジャー５２０は、ＭＩＩＳ情報に基づいて新たにインストールすべきウエーブフォームアプリケーションを選択し、新たなウエーブフォームアプリケーションのインストールに関する命令を、ウエーブフォームアプリケーションマネジャー５５０に伝達する（Ｓ３）。
【００６３】
ウエーブフォームアプリケーションマネジャー５５０は、ウエーブフォームアプリケーション格納所５８０にウエーブフォームアプリケーションがあるかを確認した後、ドメインマネジャー５１０に新たなウエーブフォームアプリケーションのインストールを要請する（Ｓ４）。
【００６４】
ドメインマネジャー５１０は、新たなウエーブフォームアプリケーションの生成のための新たなアプリケーションファクトリー５４２を生成する（Ｓ５）。
【００６５】
新たなウエーブフォームアプリケーションの生成のために、ファイルマネジャー５３０にウエーブフォームアプリケーションのファイルが要請され、ウエーブフォームアプリケーション格納所５８０からファイルが提供される（Ｓ６）。
【００６６】
ファイルの提供を受けたアプリケーションファクトリー５４２は、新たなウエーブフォームアプリケーション５７３を生成する（Ｓ７）。
【００６７】
新たなウエーブフォームアプリケーション５７３のＭＩＨリソース５７４からＩＥＥＥ８０２．２１によって規定されたＭＩＨ＿Ｌｉｎｋ＿ＤｅｔｅｃｔｅｄまたはＭＩＨ＿Ｌｉｎｋ＿ＵＰなどのＭＩＨリンクイベントを受信すると、ＭＩＨマネジャー５２０に伝達される（Ｓ８）。
【００６８】
既存のウエーブフォームアプリケーション５７１のＭＩＨリソース５７２からＩＥＥＥ８０２．２１によって規定されたＭＩＨ＿Ｌｉｎｋ＿ＤｏｗｎまたはＭＩＨ＿Ｌｉｎｋ＿Ｈａｎｄｏｖｅｒ＿ＣｏｍｐｌｅｔｅなどのＭＩＨリンクイベントまたはＭＩＨ＿Ｎ２Ｎ＿ＨＯ＿Ｃｏｍｍｉｔ、ＭＩＨ＿ＭＮ＿ＨＯ＿Ｃｏｍｍｉｔ、ＭＩＨ＿Ｎｅｔ＿ＨＯ＿Ｃｏｍｐｌｅｔｅ、ＭＩＨ＿Ｎ２Ｎ＿ＨＯ＿ＣｏｍｐｌｅｔｅなどのようなＭＩＨ命令語を受信すると、ＭＩＨマネジャー５２０に伝達される（Ｓ９）。
【００６９】
ＭＩＨマネジャー５２０は、ＩＥＥＥ８０２．２１によって規定されたＭＩＨ＿Ｌｉｎｋ＿Ｄｅｔｅｃｔｅｄ、ＭＩＨ＿Ｌｉｎｋ＿ＵＰ、ＭＩＨ＿Ｌｉｎｋ＿ＤｏｗｎまたはＭＩＨ＿Ｌｉｎｋ＿Ｈａｎｄｏｖｅｒ＿Ｃｏｍｐｌｅｔｅなどの特定のＭＩＨリンクイベントまたはＭＩＨ＿Ｎ２Ｎ＿ＨＯ＿Ｃｏｍｍｉｔ、ＭＩＨ＿ＭＮ＿ＨＯ＿Ｃｏｍｍｉｔ、ＭＩＨ＿Ｎｅｔ＿ＨＯ＿Ｃｏｍｐｌｅｔｅ、ＭＩＨ＿Ｎ２Ｎ＿ＨＯ＿ＣｏｍｐｌｅｔｅなどのようなＭＩＨ命令語が伝達されると、ハンドオーバーが完了したと判断し、ウエーブフォームアプリケーションマネジャー５５０に既存のウエーブフォームアプリケーション５７１をアンインストールすることを要請する（Ｓ１０）。
【００７０】
ウエーブフォームアプリケーションマネジャー５５０は、ドメインマネジャー５１０にウエーブフォームアプリケーション５７１のアンインストールを要請する（Ｓ１１）。
【００７１】
ドメインマネジャー５１０は、アプリケーションファクトリー５４１にウエーブフォームアプリケーション５７１をアンインストールすることを要請する（Ｓ１２）。
アプリケーションファクトリー５４１は、ウエーブフォームアプリケーション５７１をアンインストールする（Ｓ１３）。
【００７２】
次に、ドメインマネジャー５１０は、アプリケーションファクトリー５４１をアンインストールする。
【００７３】
従って、ＳＣＡ基盤のＳＤＲ端末は、バーチカルハンドオーバーの過程においてマルチモードにより動作し、ハンドオーバーの終了後には、シングルモード端末で動作する。また、ＳＤＲ端末のウエーブフォームアプリケーションの再構成の際に発生する待ち時間を低減することができ、シームレス・バーチカル・ハンドオーバーが可能になる。
【００７４】
結局、ＳＤＲがＩＥＥＥ８０２．２１の規格を用いてバーチカルハンドオーバーに関する情報を得ることにより、プロアクティブ（ｐｒｏａｃｔｉｖｅ）な方法においてハンドオーバーに関する手続きをあらかじめ準備したために可能なものである。すなわち、ＭＩＩＳを用いてウエーブフォームアプリケーションの再構成に必要な過程があらかじめ実行され、ＭＩＥＳイベントまたはＭＩＣＳ命令語を受信するまで待ち、ＭＩＥＳイベントまたはＭＩＣＳ命令語が受信されると、迅速に新たなウエーブフォームアプリケーションを開始してバーチカルハンドオーバーを行う。上記の方法によりウエーブフォームアプリケーションの変更に消耗する時間が最小化されるので、シームレス・バーチカル・ハンドオーバーが可能である。
【００７５】
図６は、本発明の一実施形態に係るＳＤＲ端末のシームレス・バーチカル・ハンドオーバー方法を示す動作のフローチャートである。図６を参照すれば、本発明の一実施形態に係るＳＤＲ端末のシームレス・バーチカル・ハンドオーバー方法は、まずバーチカルハンドオーバーの要請前に、周辺のアクセスネットワーク情報を収集する（Ｓ６１０）。
【００７６】
周辺のアクセスネットワーク情報は、ＭＩＩＳを用いて収集され、バーチカルハンドオーバーの要請を、ＭＩＥＳまたはＭＩＣＳを用いて識別することができる。
【００７７】
また、ＳＤＲ端末のシームレス・バーチカル・ハンドオーバー方法は、収集された周辺のアクセスネットワーク情報を用いて周辺のアクセスネットワークに相応するウエーブフォームアプリケーションがＳＤＲ端末内に格納されているかを確認する（Ｓ６２０）。ＳＤＲ端末内にウエーブフォームアプリケーションが格納されていなければ、ダウンロードが必要なものと判断することができる。
【００７８】
周辺のアクセスネットワークに相応するウエーブフォームアプリケーションは、ＭＩＩＳにより提供されたネットワークタイプの情報要素に相応するアクセスネットワークに使用可能なウエーブフォームアプリケーションであり得る。ネットワークタイプの情報要素は、ＩＥＥＥ８０２．２１によって規定されたＩＥ＿ＮＥＴＷＯＲＫ＿ＴＹＰＥであるとすることができる。
【００７９】
ダウンロードが必要なものと判断される場合に、ＳＤＲ端末のシームレス・バーチカル・ハンドオーバー方法は、ウエーブフォームアプリケーション格納サーバからウエーブフォームアプリケーションをダウンロードし、ＳＤＲ端末内に格納する（Ｓ６３０）。
【００８０】
ＭＩＩＳにより、ウエーブフォームアプリケーション格納サーバの接続情報を示す情報要素を提供することができる。ステップＳ６３０は、情報要素を用いてウエーブフォームアプリケーション格納サーバに接続し、ウエーブフォームアプリケーションをダウンロードすることができる。
【００８１】
ウエーブフォームアプリケーション格納サーバの接続情報は、ＩＰアドレスであるとすることができる。
【００８２】
また、ＳＤＲ端末のシームレス・バーチカル・ハンドオーバー方法は、格納されたウエーブフォームアプリケーションを用いてシームレス・バーチカル・ハンドオーバーを行う（Ｓ６４０）。
【００８３】
図７は、本発明の一実施形態に係る図６に示されたバーチカルハンドオーバーステップ（Ｓ６４０）の一例を示す動作のフローチャートである。
【００８４】
図７を参照すれば、図６に示された格納されたウエーブフォームアプリケーションを用いてシームレス・バーチカル・ハンドオーバーを行うステップ（Ｓ６４０）は、まずバーチカルハンドオーバーの要請を識別する（Ｓ７１０）。
【００８５】
バーチカルハンドオーバーの要請は、ＭＩＥＳにより提供されるイベントに基づいて識別され得る。
【００８６】
シームレス・バーチカル・ハンドオーバーを行うステップは、バーチカルハンドオーバーの要請があると判断されなければ、次のステップに進まない。バーチカルハンドオーバーの要請があると判断されなければ、シームレス・バーチカル・ハンドオーバーを行うステップは、図６に示された周辺のネットワーク情報を収集するステップ（Ｓ６１０）に進むこともできる。
【００８７】
バーチカルハンドオーバーの要請があると判断されると、シームレス・バーチカル・ハンドオーバーを行うステップは、ＳＤＲ端末内のウエーブフォームアプリケーション格納所内で必要なウエーブフォームアプリケーションを選択する（Ｓ７２０）。
【００８８】
また、シームレス・バーチカル・ハンドオーバーを行うステップは、選択されたウエーブフォームアプリケーションを新たにインストールする（Ｓ７３０）。
【００８９】
また、シームレス・バーチカル・ハンドオーバーを行うステップは、既存のウエーブフォームアプリケーションをアンインストールする（Ｓ７４０）。
【００９０】
既存のウエーブフォームアプリケーションのアンインストールは、ＭＩＥＳにより提供されるリンクイベントに基づいて識別されたバーチカルハンドオーバーの完了の有無によって実行することができる。
【００９１】
図３および図５によって説明されたウエーブフォームアプリケーションのダウンロード動作およびＳＣＡ基盤のＳＤＲ端末のマルチモードの動作は、図６および図７に示すＳＤＲ端末のシームレス・バーチカル・ハンドオーバー方法にも適用することができ、重複を避けるために繰り返される説明を省略した。
【００９２】
図６および図７に示された各ステップは、図６および図７に示された順序、逆順または同時に実行することができる。
【００９３】
本発明の一部のステップは、コンピュータ読取り可能記録媒体に、コンピュータ読取り可能コードによって実現することが可能である。コンピュータ読取り可能記録媒体は、コンピュータ・システムによって読取れるデータが格納されるすべての種類の記録装置を含む。コンピュータ読取り可能記録媒体の例としては、ＲＯＭ、ＲＡＭ、ＣＤ−ＲＯＭ、ＣＤ−ＲＷ、磁気テープ、フロッピーディスク、ＨＤＤ、光ディスク、光磁気格納装置などがあり、また、キャリアウェーブ（例えば、インターネットを介した伝送）により実現されるものも含む。また、コンピュータ読取り可能記録媒体は、ネットワークに連結したコンピュータ・システムに分散し、分散によりコンピュータ読取り可能コードとして格納して実行することができる。
【００９４】
以上のように、図面と明細書とにおいて最適の実施形態を開示した。本明細書において特定の用語が用いられたが、単に本発明を説明するための目的で使われたものであり、意味限定や特許請求の範囲に記載された本発明の範囲を制限するために使われたものではない。従って、本技術分野における通常の知識を有する者であれば、多様な変形および均等な他の実施形態が可能である点を理解するだろう。従って、本発明の真の技術的保護範囲は、添付された特許請求の範囲の技術的思想により決まらなければならないだろう。
【符号の説明】
【００９５】
２２０：ＭＩＨマネジャー
２５０：ウエーブフォームアプリケーションマネジャー
２７１：ＭＩＨリソース
【図１】
2010136379.tif 000003
【図２】
2010136379.tif 000004
【図３】
2010136379.tif 000005
【図４】
2010136379.tif 000006
【図５】
2010136379.tif 000007
【図６】
2010136379.tif 000008
【図７】
2010136379.tif 000009